(57)【要約】【課題】共通電極ＡＣ駆動を行う液晶表示装置で発生する、表示開始時のフリッカーと表示終了時の残像とを共に防止する。【解決手段】バイアス電圧を発生させるオペアンプ１１の出力側に、バイアス抵抗１２ａ〜１２ｃとスイッチ１３を設ける。スイッチ制御回路１５は、表示開始時か表示中か表示終了時かを示すスイッチ制御信号Ｘａ〜Ｘｃを出力する。スイッチ１３の作用により、表示開始時には小さな抵抗値を有するバイアス抵抗１２ａが選択され、表示終了時には大きな抵抗値を有するバイアス抵抗１２ｃが選択される。コンデンサ１４の一方の端子には、所定の周期で変化する矩形波φが供給される。スイッチ１３の出力端子とコンデンサ１４の他方の端子の接続点の電圧Ｖｃｏｍが、液晶表示装置の共通電極に供給される。【選択図】図２
2007156218.tif 000002
【特許請求の範囲】
【請求項１】
周期的に変化する電圧を用いて、液晶表示装置の共通電極を駆動する共通電極駆動回路であって、
一方の端子に矩形波が供給される容量素子と、
所定レベルのバイアス電圧を出力するバイアス供給回路と、
前記バイアス供給回路の出力側に設けられ、表示を開始あるいは終了するか否かに応じて内部の抵抗が変化する可変抵抗部とを備え、
前記可変抵抗部の出力側端子と前記容量素子の他方の端子とが接続されており、当該接続点の電圧を液晶表示装置の共通電極電圧として出力することを特徴とする、共通電極駆動回路。
【請求項２】
前記可変抵抗部は、
前記バイアス供給回路の出力側に設けられた複数の抵抗素子と、
表示を開始あるいは終了するか否かに応じて前記抵抗素子のいずれかを選択し、選択した抵抗素子と前記容量素子の他方の端子とを電気的に接続する選択回路とを含む、請求項１に記載の共通電極駆動回路。
【請求項３】
前記可変抵抗部は、前記抵抗素子として第１〜第３の抵抗素子を含み、
前記選択回路は、表示開始時か表示期間中か表示終了時かに応じて、前記第１〜第３の抵抗素子のいずれかを選択することを特徴とする、請求項２に記載の共通電極駆動回路。
【請求項４】
前記可変抵抗部は、前記抵抗素子として第１および第２の抵抗素子を含み、
前記選択回路は、表示開始時か表示終了時かに応じて、前記第１および第２の抵抗素子のいずれかを選択することを特徴とする、請求項２に記載の共通電極駆動回路。
【請求項５】
前記バイアス供給回路および前記可変抵抗部が、１個の半導体チップに内蔵されていることを特徴とする、請求項２に記載の共通電極駆動回路。
【請求項６】
周期的に変化する電圧を用いて、共通電極を駆動する液晶表示装置であって、
複数の画素電極と、前記画素電極に対向する共通電極とを含む液晶パネルと、
周期的に変化する電圧を用いて、前記共通電極を駆動する共通電極駆動回路とを備え、
前記共通電極駆動回路は、
一方の端子に矩形波が供給される容量素子と、
所定レベルのバイアス電圧を出力するバイアス供給回路と、
前記バイアス供給回路の出力側に設けられ、表示を開始あるいは終了するか否かに応じて内部の抵抗が変化する可変抵抗部とを含み、
前記可変抵抗部の出力側端子と前記容量素子の他方の端子とが接続されており、当該接続点の電圧を前記共通電極に対して出力することを特徴とする、液晶表示装置。
【請求項７】
周期的に変化する電圧を用いて、液晶表示装置の共通電極を駆動する共通電極駆動方法であって、
容量素子の一方の端子に矩形波を供給するステップと、
バイアス供給回路を用いて所定レベルのバイアス電圧を発生させるステップと、
前記バイアス供給回路の出力側に設けられた可変抵抗部の抵抗を、表示を開始あるいは終了するか否かに応じて変化させるステップと、
前記可変抵抗部の出力側端子と前記容量素子の他方の端子とが接続されており、当該接続点の電圧を液晶表示装置の共通電極電圧として出力するステップとを備えた、共通電極駆動方法。
【発明の詳細な説明】
【技術分野】
【０００１】
本発明は、液晶表示装置の共通電極駆動回路に関し、特に、周期的に変化する電圧を用いて液晶表示装置の共通電極を駆動する共通電極駆動回路に関する。
【背景技術】
【０００２】
フレーム反転駆動あるいはライン反転駆動を行う液晶表示装置では、データ信号線に印加される電圧の変動幅を小さくするために、共通電極（対向電極ともいう）に印加する電圧をフレーム反転あるいはライン反転のタイミングに同期して極性反転する駆動方法（以下、共通電極ＡＣ駆動という）が用いられる。
【０００３】
図５は、共通電極ＡＣ駆動を行う従来の液晶表示装置の共通電極駆動回路の構成を示す回路図である。図５に示す共通電極駆動回路は、入力電圧供給回路、共通電極駆動ＩＣ９０、バイアス抵抗１２、および、コンデンサ１４を備えている。入力電圧供給回路は、抵抗Ｒ１〜Ｒ３およびコンデンサＣ１を含んでいる。抵抗Ｒ２は可変抵抗であり、抵抗Ｒ２の可動端子の電圧が共通電極駆動ＩＣ９０の入力電圧Ｖｉｎとなる。コンデンサＣ１は、可変抵抗Ｒ２の可動端子と接地との間に設けられる。
【０００４】
共通電極駆動ＩＣ９０は、オペアンプ１１を内蔵している。オペアンプ１１は、入力電圧Ｖｉｎに基づき、所定レベルのバイアス電圧を発生させる。オペアンプ１１の出力端子は、バイアス抵抗１２の一方の端子に接続される。コンデンサ１４の一方の端子には所定の周期で変化する矩形波φが供給される。コンデンサ１４は、矩形波φの直流成分を除去する。バイアス抵抗１２の出力側端子はコンデンサ１４の他方の端子に接続され、バイアス抵抗１２とコンデンサ１４との接続点の電圧（以下、共通電極電圧Ｖｃｏｍという）は、オペアンプ１１から出力されたバイアス電圧を中心電圧として所定の周期で変化する。共通電極電圧Ｖｃｏｍは、液晶表示装置の共通電極に印加される。
【０００５】
なお、本願発明に関連する技術として、以下の技術が知られている。特許文献１には、電源オフ操作が検出された場合に、信号ラインに供給される信号電圧と共通電極電圧とを特定のローレベルに固定し、表示画素のそれぞれに微小な信号電圧を書き込む方法が開示されている。特許文献２には、ライン反転駆動とフレーム反転駆動を切り替え可能な液晶表示装置の共通電極駆動回路として、ボルテージフォロア回路の後段に２個の抵抗を備え、駆動方法に従っていずれかの抵抗を選択してカップリングコンデンサと結合する回路が開示されている。
【特許文献１】特開２００３−２９５８４０号公報
【特許文献２】特開２００４−２５８２７４号公報
【発明の開示】
【発明が解決しようとする課題】
【０００６】
図５に示す共通電極駆動回路では、共通電極電圧Ｖｃｏｍの中心電圧が変化する速度は、バイアス抵抗１２とコンデンサ１４とからなる回路の時定数（すなわち、バイアス抵抗１２の抵抗値とコンデンサ１４の容量値との積）によって定まる。この共通電極駆動回路を用いて液晶表示装置の共通電極を駆動する場合、上記時定数を大きくすると表示開始時に表示画面にフリッカー（ちらつき）が発生しやすくなり、上記時定数を小さくすると表示終了時に表示画面に残像が発生しやすくなることが知られている。
【０００７】
例えば、コンデンサ１４の容量値が４．７μＦである場合について、バイアス抵抗１２の抵抗値を５６ｋΩとした場合と、１ｋΩとした場合とを比較して検討する。前者の場合、時定数τはτ＝５６×１０3 ×４．７×１０-6＝２６３ｍｓとなり、共通電極電圧Ｖｃｏｍが最終電圧の９０％に達するまでの所要時間Ｔは、Ｔ＝２６３×１０-3×２．３＝６０５ｍｓとなる。後者の場合、時定数τはτ＝１×１０3 ×４．７×１０-6＝４．７ｍｓとなり、共通電極電圧Ｖｃｏｍが最終電圧の９０％に達するまでの所要時間Ｔは、Ｔ＝４．７×１０-3×２．３＝１１ｍｓとなる。
【０００８】
図６（ａ）および（ｂ）は、それぞれ、抵抗値を５６ｋΩとした場合の表示開始時および表示終了時の共通電極電圧Ｖｃｏｍの波形図である。表示開始時（図６（ａ））には、時刻ｔ１１で電源を投入した後、共通電極電圧Ｖｃｏｍが十分高くなる時刻ｔ１３までに約６００ｍｓ要する。したがって、電源投入後、約８０ｍｓ経過した時刻ｔ１２で表示を開始すると、時刻ｔ１２から時刻ｔ１３までの間に約５２０ｍｓに亘って表示画面にフリッカーが発生する。これに対して表示終了時（図６（ｂ））には、共通電極電圧Ｖｃｏｍは、矩形波出力を停止した時刻ｔ２１以降は、接地レベルに固定される。この場合、時定数τが大きいために、時刻ｔ２１以降、入力電圧Ｖｉｎの出力を停止する時刻ｔ２２までの間に、入力電圧Ｖｉｎの影響によって共通電極電圧Ｖｃｏｍが変化することはない。このため、時刻ｔ２１以降は表示画面に残像は発生しない。
【０００９】
図７（ａ）および（ｂ）は、それぞれ、抵抗値を１ｋΩとした場合の表示開始時および表示終了時の共通電極電圧Ｖｃｏｍの波形図である。表示開始時（図７（ａ））には、時刻ｔ１１で電源を投入した後、共通電極電圧Ｖｃｏｍが十分高くなるまでに、約１０ｍｓしか要しない。このため、電源投入後、約８０ｍｓ経過した時刻ｔ１２で表示を開始しても、表示画面にフリッカーは発生しない。これに対して表示終了時（図７（ｂ））には、時定数τが小さいため、矩形波出力を停止した時刻ｔ２１以降、入力電圧Ｖｉｎの出力を停止する時刻ｔ２２までの間に、入力電圧Ｖｉｎの影響により共通電極電圧Ｖｃｏｍが変化する。具体的には、時刻ｔ２２で電源供給を停止するまでの間に、共通電極電圧Ｖｃｏｍは入力電圧Ｖｉｎのレベルにまで上昇する。このため、時刻ｔ２１から時刻ｔ２２までの期間で電源供給を停止した後、共通電極電圧Ｖｃｏｍが十分に低くなる時刻ｔ２３までの間、表示画面に残像が発生する。
【００１０】
このように従来の共通電極駆動回路を用いて液晶表示装置の共通電極を駆動する場合、バイアス抵抗１２とコンデンサ１４とからなる回路の時定数を大きくすると、表示開始時に表示画面にフリッカーが発生し、当該時定数を小さくすると、表示終了時に表示画面に残像が発生する。このように、表示開始時のフリッカーと表示終了時の残像とは、トレードオフの関係にある。このため、共通電極ＡＣ駆動を行う共通電極駆動回路には、表示開始時のフリッカーと表示終了時の残像とがどちらも発生しないように、バイアス抵抗１２とコンデンサ１４からなる回路の時定数（具体的には、バイアス抵抗１２の抵抗値）を決定することが困難であるというという問題がある。
【００１１】
それ故に、本発明は、共通電極ＡＣ駆動を行う液晶表示装置で発生する、表示開始時のフリッカーと表示終了時の残像とを共に防止することを目的とする。
【課題を解決するための手段】
【００１２】
第１の発明は、周期的に変化する電圧を用いて、液晶表示装置の共通電極を駆動する共通電極駆動回路であって、
一方の端子に矩形波が供給される容量素子と、
所定レベルのバイアス電圧を出力するバイアス供給回路と、
前記バイアス供給回路の出力側に設けられ、表示を開始あるいは終了するか否かに応じて内部の抵抗が変化する可変抵抗部とを備え、
前記可変抵抗部の出力側端子と前記容量素子の他方の端子とが接続されており、当該接続点の電圧を液晶表示装置の共通電極電圧として出力することを特徴とする。
【００１３】
第２の発明は、第１の発明において、
前記可変抵抗部は、
前記バイアス供給回路の出力側に設けられた複数の抵抗素子と、
表示を開始あるいは終了するか否かに応じて前記抵抗素子のいずれかを選択し、選択した抵抗素子と前記容量素子の他方の端子とを電気的に接続する選択回路とを含む。
【００１４】
第３の発明は、第２の発明において、
前記可変抵抗部は、前記抵抗素子として第１〜第３の抵抗素子を含み、
前記選択回路は、表示開始時か表示期間中か表示終了時かに応じて、前記第１〜第３の抵抗素子のいずれかを選択することを特徴とする。
【００１５】
第４の発明は、第２の発明において、
前記可変抵抗部は、前記抵抗素子として第１および第２の抵抗素子を含み、
前記選択回路は、表示開始時か表示終了時かに応じて、前記第１および第２の抵抗素子のいずれかを選択することを特徴とする。
【００１６】
第５の発明は、第２の発明において、
前記バイアス供給回路および前記可変抵抗部が、１個の半導体チップに内蔵されていることを特徴とする。
【００１７】
第６の発明は、周期的に変化する電圧を用いて、共通電極を駆動する液晶表示装置であって、
複数の画素電極と、前記画素電極に対向する共通電極とを含む液晶パネルと、
周期的に変化する電圧を用いて、前記共通電極を駆動する共通電極駆動回路とを備え、
前記共通電極駆動回路は、
一方の端子に矩形波が供給される容量素子と、
所定レベルのバイアス電圧を出力するバイアス供給回路と、
前記バイアス供給回路の出力側に設けられ、表示を開始あるいは終了するか否かに応じて内部の抵抗が変化する可変抵抗部とを含み、
前記可変抵抗部の出力側端子と前記容量素子の他方の端子とが接続されており、当該接続点の電圧を前記共通電極に対して出力することを特徴とする。
【００１８】
第７の発明は、周期的に変化する電圧を用いて、液晶表示装置の共通電極を駆動する共通電極駆動方法であって、
容量素子の一方の端子に矩形波を供給するステップと、
バイアス供給回路を用いて所定レベルのバイアス電圧を発生させるステップと、
前記バイアス供給回路の出力側に設けられた可変抵抗部の抵抗を、表示を開始あるいは終了するか否かに応じて変化させるステップと、
前記可変抵抗部の出力側端子と前記容量素子の他方の端子とが接続されており、当該接続点の電圧を液晶表示装置の共通電極電圧として出力するステップとを備える。
【発明の効果】
【００１９】
上記第１、第６および第７の発明によれば、表示を開始あるいは終了するか否かに応じて可変抵抗部の抵抗が変化するので、これに伴い、可変抵抗部と容量素子とからなる回路の時定数が変化し、バイアス電圧が変化する速度が変化する。したがって、表示開始時には可変抵抗部の抵抗を小さな値に、表示終了時には可変抵抗部の抵抗を大きな値に設定することにより、共通電極ＡＣ駆動を行う液晶表示装置で発生する、表示開始時のフリッカーと表示終了時の残像とを共に防止することができる。
【００２０】
上記第２の発明によれば、表示を開始あるいは終了するか否かに応じて内部の抵抗が変化する可変抵抗部を容易に構成することができる。
【００２１】
上記第３の発明によれば、表示開始時か表示期間中か表示終了時かに応じて可変抵抗部の抵抗を切り替えることにより、表示期間中のバイアス抵抗を表示画面に支障を与えない好適な値に設定すると共に、表示開始時のフリッカーと表示終了時の残像とを共に防止することができる。
【００２２】
上記第４の発明によれば、表示開始時か表示終了時かに応じて可変抵抗部の抵抗を切り替えることにより、少ない回路量で、表示開始時のフリッカーと表示終了時の残像とを共に防止することができる。
【００２３】
上記第５の発明によれば、バイアス抵抗の選択を半導体チップの内部で行うことにより、液晶パネルの周辺回路を複雑化することなく、表示開始時のフリッカーと表示終了時の残像とを共に防止することができる。
【発明を実施するための最良の形態】
【００２４】
図１は、本発明の一実施形態に係る液晶表示装置の構成を示すブロック図である。図１に示す液晶表示装置は、表示制御回路１、走査信号線駆動回路２、データ信号線駆動回路３、共通電極駆動回路４、および、液晶パネル５を備え、フレーム反転駆動あるいはライン反転駆動を行う。
【００２５】
液晶パネル５は、２枚のガラス基板の間に液晶物質を挟みこんだ構造を有している。図１に示すように、一方のガラス基板には、（ｍ×ｎ）個の画素電極６（ｍ、ｎは１以上の整数）、これと同数のＴＦＴ（Thin Film Transistor）素子７、ｎ本の走査信号線Ｇ１〜Ｇｎ、および、ｍ本のデータ信号線Ｓ１〜Ｓｍが形成される。このガラス基板には、補助容量線が形成されることもある。他方のガラス基板には、すべての画素電極６に対向する位置に共通電極８が形成される。
【００２６】
走査信号線Ｇ１〜Ｇｎは、互いに平行に配置される。データ信号線Ｓ１〜Ｓｍは、走査信号線Ｇ１〜Ｇｎと直交するように、互いに平行に配置される。走査信号線Ｇ１〜Ｇｎとデータ信号線Ｓ１〜Ｓｍとの交点近傍には、ＴＦＴ素子７が配置される。画素電極６は、ＴＦＴ素子７と１対１に対応して、各ＴＦＴ素子７の近傍に配置される。走査信号線Ｇ１〜Ｇｎのそれぞれは、同じ行に配置されたＴＦＴ素子７の制御端子に接続され、データ信号線Ｓ１〜Ｓｍのそれぞれは、同じ列に配置されたＴＦＴ素子７の導通端子の一方に接続される。
【００２７】
表示制御回路１は、外部から与えられた制御信号（図示せず）に基づき、走査信号線駆動回路２とデータ信号線駆動回路３とに対してタイミング制御信号を出力する。また、表示制御回路１は、外部から与えられた表示データ（図示せず）をデータ信号線駆動回路３に対して出力する。さらに、表示制御回路１は、外部から与えられた制御信号に基づき、データ信号線駆動回路３と共通電極駆動回路４とに対して矩形波φを出力する。矩形波φは、１ライン時間、数ライン時間あるいは１フレーム時間ごとに、ハイレベルとローレベルとに交互に切り替えられる。
【００２８】
共通電極駆動回路４は、表示制御回路１から出力された矩形波φに基づき、所定レベルのバイアス電圧を中心電圧として所定の周期で変化する共通電極電圧Ｖｃｏｍを出力する。共通電極電圧Ｖｃｏｍは、共通電極８に印加される。走査信号線駆動回路２は、表示制御回路１から出力されたタイミング制御信号に基づき、走査信号線Ｇ１〜Ｇｎを順に選択的に活性化する。データ信号線駆動回路３は、表示制御回路１から供給されたタイミング制御信号、矩形波φおよび表示データに基づき、データ信号線Ｓ１〜Ｓｍを駆動する。この際、データ信号線駆動回路３は、矩形波φがハイレベルかローレベルかに応じて、データ信号線に共通電極電圧Ｖｃｏｍよりも高い電圧を印加するか、共通電極電圧Ｖｃｏｍよりも低い電圧を印加するか否かを切り替える。
【００２９】
図２は、共通電極駆動回路４の詳細な構成を示す回路図である。図２に示す共通電極駆動回路４は、入力電圧供給回路、共通電極駆動ＩＣ１０、コンデンサ１４、および、スイッチ制御回路１５を備えている。入力電圧供給回路は、抵抗Ｒ１〜Ｒ３およびコンデンサＣ１を含んでいる。抵抗Ｒ２は可変抵抗であり、抵抗Ｒ２の可動端子の電圧が共通電極駆動ＩＣ１０の入力電圧Ｖｉｎとなる。コンデンサＣ１は、可変抵抗Ｒ２の可動端子と接地との間に設けられる。この入力電圧供給回路は、共通電極電圧Ｖｃｏｍの中心電圧を調整するために設けられる。
【００３０】
共通電極駆動ＩＣ１０は、オペアンプ１１、３個のバイアス抵抗１２ａ〜１２ｃ、および、スイッチ１３を含んでいる。以下に示すように、オペアンプ１１はバイアス供給回路として機能し、バイアス抵抗１２ａ〜１２ｃおよびスイッチ１３は可変抵抗部として機能する。
【００３１】
オペアンプ１１は、入力電圧Ｖｉｎに基づき、所定レベルのバイアス電圧を発生させる。オペアンプ１１の出力端子は、バイアス抵抗１２ａ〜１２ｃの一方の端子に接続される。バイアス抵抗１２ａ〜１２ｃの他方の端子は、スイッチ１３の３個の入力端子に接続される。スイッチ制御回路１５は、スイッチ制御信号Ｘａ〜Ｘｃのいずれかを所定のレベル（ここでは、ハイレベルとする）に制御する。スイッチ１３は、スイッチ制御信号Ｘａ〜Ｘｃに基づき、バイアス抵抗１２ａ〜１２ｃのいずれかを経由したバイアス電圧を出力する。
【００３２】
コンデンサ１４の一方の端子には所定の周期で変化する矩形波φが供給される。コンデンサ１４は、矩形波φの直流成分を除去する。スイッチ１３の出力端子（可変抵抗部の出力側端子）は、コンデンサ１４の他方の端子に接続される。このようにスイッチ１３は、スイッチ制御信号Ｘａ〜Ｘｃに基づきバイアス抵抗１２ａ〜１２ｃのいずれかを選択し、選択したバイアス抵抗をコンデンサ１４の他方の端子と電気的に接続する。スイッチ１３とコンデンサ１４との接続点の電圧（共通電極電圧Ｖｃｏｍ）は、オペアンプ１１から出力されたバイアス電圧を中心電圧として所定の周期で変化する。共通電極電圧Ｖｃｏｍは、図１に示す液晶表示装置の共通電極８に印加される。
【００３３】
以下、スイッチ制御回路１５によるバイアス抵抗の切り替えについて説明する。スイッチ制御回路１５は、表示を開始あるいは終了するか否かに応じて、スイッチ制御信号Ｘａ〜Ｘｃのいずれかをハイレベルに制御する。より詳細には、スイッチ制御回路１５は、表示開始時にはスイッチ制御信号Ｘａをハイレベルに制御し、表示期間中はスイッチ制御信号Ｘｂをハイレベルに制御し、表示終了時にはスイッチ制御信号Ｘｃをハイレベルに制御する。
【００３４】
スイッチ１３は、スイッチ制御信号Ｘａがハイレベルのときには、バイアス抵抗１２ａに接続された入力端子と出力端子との間を電気的に接続する。また、スイッチ１３は、スイッチ制御信号Ｘｂがハイレベルのときには、バイアス抵抗１２ｂに接続された入力端子と出力端子との間を電気的に接続し、スイッチ制御信号Ｘｃがハイレベルのときには、バイアス抵抗１２ｃに接続された入力端子と出力端子との間を電気的に接続する。したがって、スイッチ１３からは、表示開始時にはバイアス抵抗１２ａを経由したバイアス電圧が出力され、表示期間中はバイアス抵抗１２ｂを経由したバイアス電圧が出力され、表示終了時にはバイアス抵抗１２ｃを経由したバイアス電圧が出力される。
【００３５】
バイアス抵抗１２ａ〜１２ｃは、互いに異なる抵抗値を有する。バイアス抵抗１２ａの抵抗値は、電源投入後、共通電極電圧Ｖｃｏｍが短時間のうちに所定のレベルに達するように十分小さな値に決定される。バイアス抵抗１２ｂの抵抗値は、表示期間中に表示画面に支障を与えないような値に決定される。バイアス抵抗１２ｃの抵抗値は、矩形波出力を停止した後、共通電極電圧Ｖｃｏｍが短時間のうちに上昇しないように十分大きな値に決定される。例えば、コンデンサ１４の容量値が４．７μＦである場合、バイアス抵抗１２ａの抵抗値は１ｋΩ、バイアス抵抗１２ｃの抵抗値は５６ｋΩ、バイアス抵抗１２ｂの抵抗値はそれ以外の値に決定される。
【００３６】
上記のようにバイアス抵抗１２ａ〜１２ｃの抵抗値を決定した場合、表示開始時にバイアス抵抗１２ａを選択したときに、バイアス抵抗１２ａとコンデンサ１４とからなる回路の時定数τはτ＝１×１０3 ×４．７×１０-6＝４．７ｍｓとなり、共通電極電圧Ｖｃｏｍが最終電圧の９０％に達するまでの所要時間Ｔは、Ｔ＝４．７×１０-3×２．３＝１１ｍｓとなる。また、表示終了時にバイアス抵抗１２ｃを選択したときに、バイアス抵抗１２ｃとコンデンサ１４とからなる回路の時定数τはτ＝５６×１０3 ×４．７×１０-6＝２６３ｍｓとなり、共通電極電圧Ｖｃｏｍが最終電圧の９０％に達するまでの所要時間Ｔは、Ｔ＝２６３×１０-3×２．３＝６０５ｍｓとなる。
【００３７】
図３（ａ）および（ｂ）は、それぞれ、表示開始時および表示終了時に共通電極駆動回路４から出力される共通電極電圧Ｖｃｏｍの波形図である。表示開始時（図３（ａ））には、時刻ｔ１１で電源を投入した後、共通電極電圧Ｖｃｏｍが十分高くなるまでに、約１０ｍｓしか要しない。このため、電源投入後、約８０ｍｓ経過した時刻ｔ１２で表示を開始しても、表示画面にフリッカーは発生しない。また、表示終了時（図３（ｂ））には、共通電極電圧Ｖｃｏｍは、矩形波出力を停止した時刻ｔ２１以降は、接地レベルからほとんど上昇しない。このため、時刻ｔ２２で電源供給を停止した後は、表示画面に残像は発生しない。
【００３８】
このように共通電極駆動回路４を用いて、図１に示す液晶表示装置の共通電極８を駆動する場合、スイッチ１３の作用により、表示開始時か表示期間中か表示終了時かに応じて、バイアス抵抗１２ａ〜１２ｃのいずれかが選択され、バイアス抵抗１２ａ〜１２ｃとコンデンサ１４とからなる回路の時定数が変化する。この際、表示開始時には、表示画面にフリッカーが発生しないように抵抗値の小さいバイアス抵抗１２ａが選択され、表示期間中は、表示画面に支障を与えない抵抗値を有するバイアス抵抗１２ｂが選択され、表示終了時には、表示画面に残像が発生しないに抵抗値の大きいバイアス抵抗１２ｃが選択される。
【００３９】
この点を従来の共通電極駆動回路と比較すると、図４に示すようになる。従来の共通電極駆動回路（図５）においてバイアス抵抗１２の抵抗値を大きくすると、表示終了時には残像は発生しないが、表示開始時にはフリッカーが発生する（図４（ａ）および図６を参照）。また、従来の共通電極駆動回路においてバイアス抵抗１２の抵抗値を小さくすると、表示開始時にはフリッカーが発生しないが、表示終了時には残像が発生する（図４（ｂ）および図７を参照）。これに対して、本実施形態に係る共通電極駆動回路４（図２）では、表示開始時には抵抗値の小さいバイアス抵抗１２ａが選択されるので、表示画面にフリッカーが発生せず、表示終了時には抵抗値の大きいバイアス抵抗１２ｃが選択されるので、表示画面に残像が発生しない（図４（ｃ）および図３を参照）。以上のことから、共通電極駆動回路４によれば、表示期間中のバイアス抵抗を表示画面に支障を与えない好適な値に設定すると共に、表示開始時のフリッカーと表示終了時の残像とを共に防止することができる。
【００４０】
また、本実施形態に係る共通電極駆動回路４では、バイアス抵抗１２ａ〜１２ｃおよびスイッチ１３は共通電極駆動ＩＣ１０に内蔵され、バイアス抵抗の選択は共通電極駆動ＩＣ１０の内部で行われる。したがって、液晶パネル５の周辺回路を複雑化することなく、表示開始時のフリッカーと表示終了時の残像とを共に防止することができる。
【００４１】
なお、共通電極駆動回路４では、可変抵抗部は、３個のバイアス抵抗１２ａ〜１２ｃおよびスイッチ１３を含み、表示開始時か表示期間中か表示終了時かに応じて、バイアス抵抗１２ａ〜１２ｃのいずれかを選択することとしたが、表示を開始あるいは終了するか否かに応じて内部の抵抗を変更できる限り、可変抵抗部の構成は任意でよい。例えば、バイアス抵抗１２ａ〜１２ｃとスイッチ１３とを逆の順序で配置してもよい。
【００４２】
あるいは、可変抵抗部は２個のバイアス抵抗（一方の抵抗値は表示開始時のフリッカーが発生しない程度に小さく、他方の抵抗値は表示終了時の残像が発生しない程度に大きい）およびスイッチを含み、表示開始時か表示終了時かに応じて２個のバイアス抵抗のいずれかを選択してもよい。この場合、可変抵抗部は、表示期間中は２個のバイアス抵抗のいずれかを選択する。このような可変抵抗部を含む共通電極駆動回路によれば、少ない回路量で、表示開始時のフリッカーと表示終了時の残像とを共に防止することができる。
【００４３】
あるいは、バイアス抵抗を切り替えるときに共通電極電圧Ｖｃｏｍが瞬間的にフローティング状態になることを防止するために、可変抵抗部は、バイアス抵抗およびスイッチからなる回路と並列に、大きな抵抗値を有する別のバイアス抵抗を含んでいてもよい。
【００４４】
また、共通電極駆動回路４では、バイアス抵抗１２ａ〜１２ｃおよびスイッチ１３は共通電極駆動ＩＣ１０に内蔵されているが、スイッチ１３およびバイアス抵抗１２ａ〜１２ｃの全部または一部を、共通電極駆動ＩＣ１０の外部に設けてもよい。
【００４５】
また、バイアス抵抗とコンデンサとからなる回路の時定数を切り替えるために、共通電極駆動回路は、互いに異なる容量値を有する複数のコンデンサを備え、スイッチの作用により、表示を開始あるいは終了するか否かに応じて、複数のコンデンサのいずれかを選択してもよい。容量値の大きいコンデンサを共通電極駆動ＩＣに内蔵できない場合には、スイッチおよびコンデンサの全部または一部を共通電極駆動ＩＣの外部に設ければよい。
【図面の簡単な説明】
【００４６】
【図１】本発明の一実施形態に係る液晶表示装置の構成を示すブロック図である。
【図２】図１に示す液晶表示装置の共通電極駆動回路の構成を示す回路図である。
【図３】図２に示す共通電極駆動回路の共通電極電圧の波形図である。
【図４】図２に示す共通電極駆動回路の効果を説明するための図である。
【図５】従来の共通電極駆動回路の構成を示す回路図である。
【図６】図５に示す共通電極駆動回路において、バイアス抵抗を大きくした場合の共通電極電圧の波形図である。
【図７】図５に示す共通電極駆動回路において、バイアス抵抗を小さくした場合の共通電極電圧の波形図である。
【符号の説明】
【００４７】
１…表示制御回路
２…走査信号線駆動回路
３…データ信号線駆動回路
４…共通電極駆動回路
５…液晶パネル
６…画素電極
７…ＴＦＴ素子
８…共通電極
１０…共通電極駆動ＩＣ
１１…オペアンプ
１２ａ〜１２ｃ…バイアス抵抗
１３…スイッチ
１４…コンデンサ
１５…スイッチ制御回路
φ…矩形波
Ｘａ〜Ｘｃ…スイッチ制御信号
ＶＳ…電源電圧
Ｖｉｎ…入力電圧
Ｖｃｏｍ…共通電極電圧
【図１】
2007156218.tif 000003
【図２】
2007156218.tif 000004
【図３】
2007156218.tif 000005
【図４】
2007156218.tif 000006
【図５】
2007156218.tif 000007
【図６】
2007156218.tif 000008
【図７】
2007156218.tif 000009